(57)【要約】【課題】吸着材をオンライン交換できる浄化装置に関し、従来方式による低効率、製造コスト及びメンテナンスコストが高い問題を解決する。【解決手段】吸着材をオンライン交換できる浄化装置とこれを用いたグローブボックスに関し、一端が開き吸着材を充填できるタンク１、タンク１に連結された排出部２、排出部２とタンク１の間に取り付けられ、吸着材を排出する開閉ユニット２１、及び、排出部２内部に設けられ、ガス置換ユニット２３と連結されているチャンバ２２を含む。浄化装置をグローブボックスの内部で使用すると、吸着材を交換するとき、グローブボックス中の水分と酸素が漏れない。【選択図】図１
2019504756.tif 000002
【特許請求の範囲】
【請求項１】
吸着材をオンライン交換できる浄化装置であって、以下を含む：
タンク、その内部が吸着材を充填することに用いられ、前記タンクの一端は開けられるように設定されている；
少なくとも一つの排出部があり、それは前記タンクに連結され、排出部と前記タンクの間に吸着材を排出する開閉ユニットが取り付けられている；
チャンバ、それは排出部の内部に設置され、ガス置換ユニットと連結されている。
【請求項２】
前記タンクの両端部にそれぞれ前記排出部が設けられていることを特徴とする、請求項１に記載した吸着材をオンライン交換できる浄化装置。
【請求項３】
前記排出部の外部に開放された端部に保護カバーを設けてあることを特徴とする、請求項１又は２に記載した吸着材をオンライン交換できる浄化装置。
【請求項４】
前記開閉ユニットは第一駆動ユニットによって開閉されることを特徴とする、請求項１に記載した吸着材をオンライン交換できる浄化装置。
【請求項５】
前記開閉ユニットがバルブであることを特徴とする、請求項１又は４に記載した吸着材をオンライン交換できる浄化装置。
【請求項６】
前記チャンバは管路を通って前記ガス置換ユニットに連通していることを特徴とする、請求項１に記載した吸着材をオンライン交換できる浄化装置。
【請求項７】
前記管路にバルブが設けられていることを特徴とする、請求項６に記載した吸着材をオンライン交換できる浄化装置。
【請求項８】
前記タンクに排気口と吸気口が設けられていることを特徴とする、請求項１に記載した吸着材をオンライン交換できる浄化装置。
【請求項９】
前記タンクの中に加熱ユニットが設けられていることを特徴とする、請求項１又は８に記載した吸着材をオンライン交換できる浄化装置。
【請求項１０】
グローブボックス本体に、請求項１−７の何れか一つに記載した吸着材をオンライン交換できる浄化装置を備えていることを特徴としたグローブボックス。
【発明の詳細な説明】
【技術分野】
【０００１】
本発明はグローブボックス分野で利用する浄化装置に関し、具体的に吸着材をオンライン交換できる浄化装置及びグローブボックスに関する。
【背景技術】
【０００２】
グローブボックスは医学、生物、化学及び化学工業、原子力、リチウム電力及び機械加工などハイテクの研究分野と製造過程の中で広く応用される。グローブボックスはさまざまな科学研究と生産に無水、無酸素の実験環境を提供するだけでなく、同時に科学研究者には安全防護を与え、例えば医療生物の防菌と病気を防ぐこと、原子力の放射線漏れ防止、また化学工業で有毒ガスの防止などを提供する。
【０００３】
現状、グローブボックス設備の浄化装置では、内部の浄化材料が吸着飽和したときは、タイミングよく交換できることが必要である。そうしないと浄化装置の浄化機能に影響する。現在、一般的に利用される交換方式は以下の三種類である：
【０００４】
一、再生手段を利用して直接的に浄化装置の内部の浄化材料を再生回復する。しかし、この方式は、時間が長くかかり、正常運行時間を占用し、科学研究と生産効率に影響する欠点がある。
【０００５】
二、グローブボックスの内部に二つ或いはそれ以上の浄化装置を準備しておき、一つを利用して、一つを待機させる、或いは一つを利用して、残りを待機させる。これによって浄化装置の交換の作業効率を向上させる。
しかし、浄化装置はグローブボックスの基幹部品であるとともに、グローブボックスの大きな部分を占めるので、グローブボックスの製造コストを押し上げる欠点がある。
【０００６】
三、メーカーの作業者が来て直接浄化装置全体を交換する。
しかし、グローブボックスを解体する必要があり、メンテナンスコストが高い。かつ、グローブボックス内部の空気清浄度にも影響が出る。そして、その後に空気の入れ替え作業をする必要があり、同様にグローブボックスを利用する仕事の効率に影響する。
【発明の概要】
【発明が解決しようとする課題】
【０００７】
上記の技術問題を解決するために、本発明は吸着材をオンライン交換できる浄化装置やグローブボックスを提供し、既存の前記三種類の方式による吸着材交換の低効率、製造およびメンテナンスコストが高い問題を解決する。
【課題を解決するための手段】
【０００８】
上記の目的を達成するために、本発明の技術的提案は以下のとおりである：
吸着材をオンライン交換できる浄化装置であって以下を含むものとする：
タンク、その内部タンクには吸着材が充填され、タンクの一端は開けることができるように設定されている。
少なくとも一つの排出部、タンクに連結されており、排出部とタンクの間に吸着材を排出するための開閉ユニットが取り付けられ、排出部の内部にチャンバが設置され、チャンバがガス置換ユニットと連結されている。
【０００９】
本発明における吸着材をオンライン交換できる浄化装置は、主に吸着材を充填するタンクとタンクに連結された排出部とで構成される。タンクは開閉できるカバー体を備え、前記排出部とタンクの間に吸着材を排出するための開閉ユニットが設けられている。
一方、排出部の内部にチャンバが設置され、同チャンバはガス置換ユニットに連結されている。
【００１０】
タンク内部の吸着材が飽和したり、必要な能力を発揮できなかったりする時は、回収用空き瓶を排出部の取付け箇所に連結する。完全に連結した後、ガス置換ユニットやチャンバを用いて、回収用空き瓶内をガス置換してチャンバと一致したガス雰囲気に置き換える。
そして、開閉ユニットを開いて使用済み吸着材を排出し、材料を排出した後に開閉ユニットを閉鎖する。
ついで、タンクのカバーを開け、直接回収用瓶中の活性化した吸着材をタンクの内部へ直接に注ぎ、カバーを閉めて再利用する。このことによって浄化装置の置換作業が完了する。
【００１１】
本発明は浄化装置の既存の交換方式による問題、すなわち、効率が低く、製造およびメンテナンスコストが高いことを解決した；
また、グローブボックスの内部で浄化装置を使用する場合、吸着材を交換するときにグローブボックス中の水分及び酸素が漏れないことを保障できる。
【００１２】
上記技術的解決手段を基礎にして、本発明は次のように改善することができる：
【００１３】
上記タンクの両端部にそれぞれ上記の排出部を設ける。
これにより、吸着材の排出と吸着材の再投入が便利になる。
【００１４】
上記の排出部の外部と連結する端部に保護カバーを設置する。
これにより、チャンバにシールと保護の機能を設ける。一つの機能は真空を保つことができ、二つ目の機能は二重ドア保護に相当する。また圧力センサーやガスセンサーに繋いで漏れるかどうかについて検出できる。
【００１５】
上記の開閉ユニットを第一駆動ユニットによって開閉する。
これにより、上記の排出作業の自動化を実現することができる。
【００１６】
上記の開閉ユニットはバルブとする。
これにより、急速な開閉を実現することが可能で、それによって排出作業に便利である。
【００１７】
上記のチャンバは管路を通じてガス置換ユニットに連通させる。
これにより、ガス置換ユニットとの連通を容易に行うことができる。
【００１８】
上記の管路にバルブを設置する。
これは、ガス置換のコントロールに便利で、すなわちガス置換を行わない場合は直ちに閉鎖でき、内部の雰囲気を保つことができる。
【００１９】
上記のタンクに排気口と吸気口を設置する。
これにより、サイクル送風機などの設備を内部雰囲気の循環に用いることができる。
【００２０】
上記のタンクの中に加熱ユニットを設置する。
これにより、吸着材をタンクの中で直接交換することができる。
【００２１】
グローブボックスであって、グローブボックス本体と、少なくとも1つの上記の吸着材をオンライン交換できる浄化装置を含む。
【００２２】
本発明のグローブボックスは上記の吸着材をオンライン交換できる浄化装置を採用したため、この浄化装置が発揮するのと同様の技術的効果を得られる。
【図面の簡単な説明】
【００２３】
【図１】本発明の実施例を示す吸着材をオンライン交換できる浄化装置の概略図。
【図２】本発明の別の実施例を示す吸着材をオンライン交換できる浄化装置の概略図。
【図３】本発明のさらに別の実施例を示す吸着材をオンライン交換できる浄化装置の概略図。
【図４】本発明の実施例を示すグローブボックスの概略図。
【図５】本発明の他の実施例を示すグローブボックスの概略図。
【図６】本発明のさらに他の実施例を示すグローブボックスの概略図。
【発明を実施するための形態】
【００２４】
次に図面と共に、本発明の最適な実施例を詳しく説明する。
本発明の目的を達するために、図1−３に示すように、本発明の吸着材をオンライン交換できる浄化装置のいくつかの実施形態は、以下を含む：
【００２５】
タンク１。
その内部に吸着材１１を充填することに用いられる。タンク１には開閉できるカバー体１２が取り付けられる。すなわちタンク１の一端部が開けられるように設置され、また、前記カバー体１２はタンク１に連結することができる。
【００２６】
排出部２。
タンク１に連結され、排出部２とタンク１の間に吸着材を排出する開閉ユニット２１が取り付けられている。該開閉ユニット２１はバルブやカバー体などである。排出部２内部にはチャンバ２２が設けられ、チャンバ２２はガス置換ユニット２３に連通している。該ガス置換ユニット２３はポンプとエア源の組み合わせである。ポンプによって吸着材の入った瓶内の気体を抽出した後、エア源は浄化装置内を必要なガスに置き換える。
【００２７】
本実施例によって提供する、吸着材をオンライン交換できる浄化装置は、主に吸着材を充填するタンクと、タンクに取付けられた排出部とで構成される。タンクに開閉できるカバー体が取り付けられ、排出部とタンクの間に吸着材を排出する開閉ユニットが取り付けられている。また、排出部内部にチャンバが設けられ、該チャンバがガス置換ユニットに連結されている。
【００２８】
タンク中の吸着材が飽和したり、必要な能力を発揮できなかったりする時は、回収用空き瓶を排出部の取付け箇所に連結させる。完全に連結した後、ガス置換ユニットやチャンバを用いて、回収用空き瓶内をガス置換し、チャンバと一致したガス雰囲気に置き換える。
その後開閉ユニットを開いて使用済み吸着材を排出し、吸着材を排出し終わったら開閉ユニットを閉鎖する。その後、タンク上のカバー体を開け、直接回収用瓶中の活性化した吸着材をタンクの内部に注ぐ。そして、カバー体を閉じると再利用することができる。これによって浄化装置の置換作業が完了する。
【００２９】
したがって、本実施例は、既存の上記三種類の浄化装置交換方式による、効率が低く、製造およびメンテナンスコストが高いという問題を解決した。
また、浄化装置をグローブボックスの内部に入れて使用する場合、吸着材を交換するときグローブボックス内部の水分及び酸素を漏れないよう保障できる。
【００３０】
さらに本発明の実施結果を最適化するため、図１−２に示すように、本発明の吸着材をオンライン交換できる浄化装置の別のいくつかの実施例で、上記の内容を基礎に、上記のカバー体１２と排出部２をタンク１の両端部にそれぞれ設けることがある。
上記実施例の方案を採用することは、吸着材を排出し、再度投入するのに便利である。
【００３１】
さらに本発明の実施結果を最適化するため、図３に示すように、本発明の吸着材をオンライン交換できる浄化装置の別のいくつかの実施例で、上記の内容を基礎に、タンク１の両端部に排出部２をそれぞれ設ける。この実施例の方案を採用することで、タンク１の両端で吸着材の排出を行なえる。
【００３２】
さらに本発明の実施結果を最適化するため、図１−３に示すように、本発明の吸着材をオンライン交換できる浄化装置の別のいくつかの実施例で、上記の内容を基礎に、上記の排出部２の端部を開放し、開閉できるカバー体２４或いは他の方式で開閉できるようにする。
カバー体２４が保護カバーとなる。
上記実施例では、チャンバにシールと保護の役割がある：一つは真空を保つことができ、二つは二重ドア保護に相当する。また圧力センサーやガスセンサーに繋いで漏れるかどうかについて検出できる。
【００３３】
さらに本発明の実施結果を最適化するため、図１−３に示すように、本発明の吸着材をオンライン交換できる浄化装置の別のいくつかの実施例で、上記の内容を基礎に、上記の開閉ユニット２１を第一駆動ユニット２１１によって駆動して開閉する。該第一駆動ユニット２１１は、具体的にモータやシリンダーなどである。これにより、排出作業の自動化を実現することができる。
【００３４】
さらに本発明の実施結果を最適化するため、図１−３に示すように、本発明の吸着材をオンライン交換できる浄化装置の別のいくつかの実施例で、上記の内容を基礎に、上記のチャンバ２２は管路２３１を通ってガス置換ユニット２３と連通させる。これにより、ガス置換ユニットと連結することが簡単になる。
【００３５】
さらに本発明の実施結果を最適化するため、図１−３に示すように、本発明の吸着材をオンライン交換できる浄化装置の別のいくつかの実施例で、上記の内容を基礎に、上記の管路２３１にバルブ２３２が設置されている。これにより、ガス置換の制御を簡単に行なえる。つまり、ガス置換を行わないときに適時に閉鎖することができ、それによって内部の雰囲気を保つことができる。
【００３６】
さらに本発明の実施結果を最適化するため、図１−３に示すように、本発明の吸着材をオンライン交換できる浄化装置の別のいくつかの実施例で、上記の内容を基礎に、上記のタンク１に吸気口１３と排気口１４を設けることがある。これにより、サイクル送風機などの設備を用いて、内部の雰囲気を循環させることができる。
【００３７】
さらに本発明の実施結果を最適化するため、図１−３に示すように、本発明の吸着材をオンライン交換できる浄化装置の別のいくつかの実施例で、上記の内容を基礎に、上記のタンク１の内部に加熱ユニット１５が設置されている。これにより、吸着材を管路内部で直接交換することができる。
【００３８】
図４−６は、本発明の目的を達するためのグローブボックスのいくつかの実施例である。
これらは、グローブボックス本体１を含み、それはまた上記の吸着材をオンライン交換できる浄化装置３を備えている。
浄化装置３は、場合によって、複数を設置することがあり、複数の浄化装置３を設置する場合は、できるだけ直列に設置する。
また、グローブボックス本体１に受け渡しボックス４１、酸素センサー４２、水分センサー４３とサイクル送風機４４が設置されている。
【００３９】
図４に示す浄化装置３は、グローブボックス本体１の内部に設置されている。
図５に示す浄化装置３は、グローブボックス本体１のケースに取り付けられ、浄化装置３のカバーを開けると内部がグローブボックス本体１の内部に連通する。
図６に示す浄化装置３は、グローブボックス本体１の外部に設置されている。
なお、半組み込みの取り付け方法を取ることもできる。
本実施例のグローブボックスは、上記のように、吸着材をオンライン交換できる浄化装置を採用しているので、この浄化装置が発揮する技術的効果を得ることができる。
【００４０】
上記で述べたのは本発明の最適な実施例であり、この分野の普通の技術者にとって、本発明の創造構想を離れないことを前提として、若干の変形と改善が可能であるが、それらはすべて本発明の保護範囲の中にある。
【符号の説明】
【００４１】
１  タンク
１１  吸着材
１２  カバー体
１３  吸気口
１４  排気口
１５  加熱ユニット
２  排出部
２１  開閉ユニット
２１１  第一駆動ユニット
２２  チャンバ
２３  ガス置換ユニット
２３１  管路
２３２  バルブ
２４  カバー体
３  浄化装置
４  グローブボックス本体
４１  受け渡しボックス
４２  酸素センサー
４３  水分センサー
４４  サイクル送風機
【図１】
2019504756.tif 000003
【図２】
2019504756.tif 000004
【図３】
2019504756.tif 000005
【図４】
2019504756.tif 000006
【図５】
2019504756.tif 000007
【図６】
2019504756.tif 000008
【手続補正書】
【提出日】平成30年8月21日(2018.8.21)
【手続補正１】
【補正対象書類名】明細書
【補正対象項目名】００３８
【補正方法】変更
【補正の内容】
【００３８】
図４−６は、本発明の目的を達するためのグローブボックスのいくつかの実施例である。
これらは、グローブボックス本体４を含み、それはまた上記の吸着材をオンライン交換できる浄化装置３を備えている。
浄化装置３は、場合によって、複数を設置することがあり、複数の浄化装置３を設置する場合は、できるだけ直列に設置する。
また、グローブボックス本体４に受け渡しボックス４１、酸素センサー４２、水分センサー４３とサイクル送風機４４が設置されている。
【手続補正２】
【補正対象書類名】明細書
【補正対象項目名】００３９
【補正方法】変更
【補正の内容】
【００３９】
図４に示す浄化装置３は、グローブボックス本体４の内部に設置されている。
図５に示す浄化装置３は、グローブボックス本体４のケースに取り付けられ、浄化装置３のカバーを開けると内部がグローブボックス本体４の内部に連通する。
図６に示す浄化装置３は、グローブボックス本体４の外部に設置されている。
なお、半組み込みの取り付け方法を取ることもできる。
本実施例のグローブボックスは、上記のように、吸着材をオンライン交換できる浄化装置を採用しているので、この浄化装置が発揮する技術的効果を得ることができる。
【国際調査報告】
2019504756.tif 000009
2019504756.tif 000010
2019504756.tif 000011
2019504756.tif 000012
2019504756.tif 000013
2019504756.tif 000014